(57)【要約】【課題】タグＩＤなどの無線情報と画像情報を有効に利用した物品管理を可能とする。【解決手段】物品１０２に予め無線タグ１０３を装着しておき、撮影機能を有する物品管理装置１０１により、無線タグ１０３から取得される無線タグＩＤと、物品１０３を撮影して得られる画像とを対にして登録しておく。そして、外出先で、例えばバッグ内にある物品１０３の無線タグ１０３から物品管理装置１０１により無線タグＩＤを検出し、登録された無線タグＩＤがあれば、それに対応する画像を表示することにより、バッグを開けなくても該物品がバッグの中に存在することができる。【選択図】      図１
2004277095.tif 000002
【特許請求の範囲】
【請求項１】
物品に装着された、所定の情報を無線情報として送信可能な無線情報送信手段から取得された無線情報、及び上記物品を撮影して得られた画像情報を対にして記憶する記憶手段を用いた物品管理装置であって、
物品に装着された無線情報送信手段から無線情報を取得する情報取得手段と、
上記情報取得手段により取得される無線情報と、上記記憶手段に記憶されている無線情報とを比較する比較手段と、
上記比較手段で一致した無線情報がある場合、上記記憶手段からその無線情報と対にされている画像情報を読み出して画像を表示する表示手段とを備えたことを特徴とする物品管理装置。
【発明の詳細な説明】
【０００１】
【発明の属する技術分野】
本発明は、無線タグから取得されるタグＩＤと撮影により得られる画像情報を利用した物品管理装置に関する。
【０００２】
【従来の技術】
従来から、無線タグを物品に装着しておき、タグＩＤをディテクタで読み取る商品管理が知られている（例えば、特許文献１参照）。
【０００３】
【特許文献１】
特開平１０−１９８７３１号公報
【０００４】
【発明が解決しようとする課題】
しかしながら、上記の従来技術ではタグＩＤをデータベース化して管理することは記載されているが、画像情報と組み合わせることによって更に機能をアップすることについては考慮されておらず、しかも画像情報のような付帯情報をタグＩＤと共にどのようにして簡便に取得したり登録したりするかについて何ら考慮されていない。
【０００５】
本発明は上記のような点に鑑みてなされたものであり、タグＩＤと画像情報を有効に利用した物品管理を可能とすることを目的とする。
【０００６】
【課題を解決するための手段】
本発明の物品管理装置は、物品に装着された、所定の情報を無線情報として送信可能な無線情報送信手段から取得された無線情報、及び上記物品を撮影して得られた画像情報を対にして記憶する記憶手段を用いた物品管理装置であって、物品に装着された無線情報送信手段から無線情報を取得する情報取得手段と、上記情報取得手段により取得される無線情報と、上記記憶手段に記憶されている無線情報とを比較する比較手段と、上記比較手段で一致した無線情報がある場合、上記記憶手段からその無線情報と対にされている画像情報を読み出して画像を表示する表示手段とを備えた点に特徴を有する。
【０００７】
【発明の実施の形態】
以下、図面を参照して、本発明の実施の形態を説明する。
【０００８】
（第１の実施の形態）
第１の実施の形態では、中身の見えない容器などの入れ物に入った物品の無線タグを検出し、その物品の画像を表示することにより、容器を開けなくても中にある物品がわかり、例えば忘れ物を防止することを可能とする物品管理について述べる。
【０００９】
具体例として、カメラ、南京錠、メガネといった物品をバッグに入れて外出するような状況で、これらカメラ、南京錠、メガネの忘れ物を防ぐのに無線タグを利用する例について説明する。すなわち、カメラ、南京錠、メガネといった物品に予め無線タグを装着しておき、無線タグから取得される無線タグＩＤと、これらカメラ、南京錠、メガネを撮影して得られる画像とを対にして登録しておく（登録処理）。そして、外出先で無線タグＩＤを検出し、対応する画像を表示することにより、これらカメラ、南京錠、メガネがバッグの中に存在することを確認するというものである（検出処理）。
【００１０】
上記のように第１の実施の形態における物品管理は、登録処理と検出処理によって成立する。以下、これら登録処理と検出処理について詳述する。
【００１１】
（登録処理）
図１（ａ）には、本実施の形態の物品管理装置１０１を含むシステム全体の構成を示す。１０１は撮影機能を有する物品管理装置であり、携帯可能とされている。例えばデジタルカメラやカメラ付き携帯電話端末、ビデオカメラなどを利用して物品管理装置１０１が構成されるようにすればよい。また、１０２は物品（図示例はカメラ）、１０３は物品１０２に装着された所定の情報を記憶するとともに所定の情報を無線情報として送信する情報送信手段である無線タグである。
【００１２】
物品管理装置１０１において、１０４は物品１０２を撮影するための撮影光学系としてのレンズ、１０５は無線タグ情報（無線タグＩＤ）を取得するための情報取得手段（無線タグ検出装置）である無線タグディテクタである。また、図１では図示しないが、物品管理装置１０１は液晶ディスプレイなどの表示部を備える。本実施の形態では、撮影ユニット及び情報取得手段を別々に有するものを説明したが、撮影ユニット及び情報取得手段を一体化しても良い。
【００１３】
ここで、無線タグ情報とは、例を挙げれば物や場所などの特定が可能な一意なＩＤ情報である。近年、無線タグの具体例として、ミューチップと呼ばれる極小のシリコンチップで個体固有の番号情報などを記憶し、外部から電波を与えその誘導起電力により電力を得て個体固有の番号情報などを無線で受信可能とするデバイスが発表されている。ただし、この種の機能を実現可能な無線タグであれば特に限定されるものではない。
【００１４】
無線タグ情報登録撮影モードを可能とする場合には、撮影前に予め物品１０２に無線タグ１０３を装着しておく。その装着方法としては、電波の発信を阻害しない位置に埋め込む、シールで貼着する、塗料に混ぜて塗布するなど様々な方法が存在する。他にも、物品１０２内部に無線タグ１０３が内蔵されていたり、物品１０２の一部に無線タグ１０３が添付或いは付加されていたりするもの、或いは物品１０２の上に載置されているものなどを含むが、本発明はこれらの装着方法に特に限定されるものではない。
【００１５】
物品１０２の撮影と無線タグ情報の取得の両方を一連の動作で行うのに適するように、撮影とタグ情報受信のために物品管理装置１０１の姿勢を変えないで済むよう、物品１０２にレンズ１０４を向けた姿勢で、無線タグ１０３からの電波を十分な感度及び又は指向性を保つ位置（本実施形態ではレンズ１０４の近傍の装置の面であって、レンズ１０４と同じ面側の位置）に無線タグディテクタ１０５を配置する。もちろん、物品管理装置１０１の背面に無線タグディテクタ１０５が在ったとしても、指向性方向がレンズ１０４の撮影方向と同一或いは凡そ同一で且つ十分な感度が保たれる場合にはこれでも良い。
【００１６】
また、図１（ｂ）に示すように、複数の無線タグ１０３、１０６、１０７が存在する場合、ターゲット外の無線タグからの同時受信を避けるために、無線タグディテクタ１０５の検出部は所定角度の指向性を有し且つレンズ１０４の撮影方向と指向性方向が同一或いは凡そ同一であることが好ましい。
【００１７】
また、通常小物の撮影に用いられるマクロ撮影は２０ｃｍから４０ｃｍ程度の距離で行われるが、光学系光軸上でレンズから２０ｃｍから４０ｃｍ程度の距離の位置に無線タグディテクタ２０２の指向性の軸が交差するような配置でも良い。
【００１８】
図１（ｂ）の例では、ターゲットとなる無線タグディテクタ１０５から出ている楕円（図中の点線）の大きさが指向性感度を表すが、無線タグ１０３が光学系光軸上で且つ無線タグの最大指向性方向との交点に存在するケースで、非ターゲットである無線タグ１０６、１０７からの電波に対する感度は小さく、これら無線タグ１０６、１０７からの影響は少なくなっている。
【００１９】
図２は物品管理装置１０１の構成例を示すブロック図であり、１０４は撮影光学系、２はＣＣＤ撮像素子、ＣＭＯＳ撮像素子などの撮像手段としての撮像素子、３は撮像素子出力をＡＤ変換しガンマ変換や色変換処理を行う信号処理回路、４は信号処理回路を介した信号を半導体メモリなどの着脱可能な記録媒体５の記録に適した信号に変換するための記録インターフェース回路である。１０５は無線タグ検出装置、７はシャッタレリーズ１などを含む操作部、８は装置の制御プログラムを記憶するためのＲＡＭやＥＥＰＲＯＭ、９は画像表示や警告表示を行うための表示部、１０は装置内の各回路を制御するための制御回路であり、ＣＰＵを内蔵している。
【００２０】
以下、図３のフローチャートを参照して、物品管理装置１０１にて実行される登録処理の一例について説明する。ステップＳ３０１では、ユーザにより選択されるモードが通常撮影モードであるか無線タグ情報登録撮影モードであるかを判断する。モードの選択は、撮影モードにした状態で更に撮影モード用スイッチとは別のスイッチで切り替える方式でも良いし、通常のカメラのオート、マニュアルなどの回転式撮影モード選択スイッチ自体の選択肢に通常撮影モードと無線タグ情報登録撮影モードとが分かれている方式でも良い。
【００２１】
上記ステップＳ３０１において通常撮影モードが選択された場合、ステップＳ３０２で無線タグ関連の処理は行わず撮影処理を行い、画像データ及び自動的に得られる日付などのメタデータを記憶する。すなわち、通常撮影モードの場合には無線タグディテクタの機能は無関係となり、通常の撮影と変わらないため、その詳しい説明を省略する。
【００２２】
それに対して、上記ステップＳ３０１において無線タグ情報登録撮影モードが選択された場合、ステップＳ３０３に移って、撮像系をマクロ撮影モードに自動的に切り替える。無線タグを装着する物品は物品管理装置１０１の近傍にあると考えられるので、このように自動的に例えばマクロ撮影モードや近距離撮影モード（焦点距離の設定を無線タグディテクタの検出可能距離に対応した近距離にあわせたモード）に切り替えるようにすれば、ユーザの負担を軽減させることができる。
【００２３】
次にステップＳ３０４で無線タグディテクタ１０５が無線タグを励起する電波を発する。その起電力により無線タグは無線タグ情報を発信する。
【００２４】
ステップＳ３０５では、無線タグからの応答があるかどうかを判断する。無線タグからの応答があった場合、ステップＳ３０６に移って、唯一の無線タグ情報をディテクトした場合であるか、或いは、複数の無線タグ情報をディテクトした場合であって、最も信号強度の強い無線タグＩＤ信号の強さが２番目に強い無線タグＩＤ信号の強さに対し事前に定めた差以上、或いは、事前に定めた倍率以上の強さであり、最も信号強度の強い無線タグＩＤを決定することができる場合、無線タグＩＤを一意に決定できたとし、無線タグをサーチするための通信が成功したとする。複数のタグが検出されても予め定めた特定グループのタグであれば複数検出されても通信成功と判断してもよい。
【００２５】
上記ステップＳ３０６において無線タグをサーチするための通信が成功したとされたならば、ステップＳ３０７に移って、撮影ＯＫのステータスが例えばファインダー内部／本体の緑のランプ表示、更に或いは液晶表示部に表示され、或いは音声で警告メッセージを出す。
【００２６】
ステップＳ３０８で撮影ボタン（シャッタボタン）が押されたことを検知すると、ステップＳ３０９で撮像処理を行い、ステップＳ３１０で無線タグ情報と撮影した画像情報を対とするような情報形態として記憶する。なお、ステップＳ３０８で直ちに撮影ボタン（シャッタボタン）が押されない場合には、状況の変化も考えられるため、再びステップＳ３０４に戻って、無線タグ情報発信のサーチ処理の再処理を行う。
【００２７】
ここで、対として記憶する情報スキーマとしては、例えば図４に示すようなデータベースＤＢがある。ＤＢレコードは無線タグＩＤ４０１、撮影画像データ４０２、日付などの自動取得可能なメタデータ４０３が記憶される。撮影画像データそのものでなく、画像へのポインタとしての画像格納先のアドレスやファイルとしてのパス情報を記憶するスキーマでも構わない。
【００２８】
このように、ユーザは無線タグ情報の検出状態を把握しながら、その成否に応じた対処が可能となる。
【００２９】
ところで、上記ステップＳ３０５において無線タグ情報の取得が失敗である場合は、ステップＳ３１１に移って、画面表示、音或いは光で警告を行う。その警告内容は、無線タグ情報情報が検出できない或いは無線タグ情報源が複数あるなどであるが、ユーザフレンドリーな方法としては、無線タグ情報検出ができない場合には、無線タグ検出のコンディションを整えて最撮影するように画面表示や音或いは光で警告を行うようにすればよい。
【００３０】
また、上記ステップＳ３０６において無線タグをサーチするための通信が成功したものの複数タグが検出され一意に特定できないとされたならば、ステップＳ３１２に移って、被写体を他の無線タグの影響が少ないところに移動する或いは物品管理装置１０１を接近させて無線タグの受信信号を強くさせるようなアドバイスを行い、適正な撮影に導き再び半押しで通信が成功すれば撮像処理を、失敗すればアドバイスを行う処理を再帰的に行うことも可能である。
【００３１】
もちろん、ユーザフレンドリーでは無いが、ステップＳ３１１、Ｓ３１２において何ら警告を行わないで撮影ボタンを切れないようにする方法もある。
【００３２】
以上述べたように物品の撮影と物品に装着した無線タグ情報の取得の両方を簡便な一連の動作で行うことが可能である。このような処理を、対象の物品（本例ではカメラ、南京錠、メガネ）に対して行い、これら３点の無線タグ情報と撮影画像データとを対にして登録し、データベース化しておく。
【００３３】
（検出処理）
図５には、検出処理を行うときの様子を示す。同図に示すように、上述した登録処理がなされたカメラ５０２、南京錠５０３、メガネ５０４が中身の見えないバッグ５０１の中に入っている。
【００３４】
以下、図６のフローチャートを参照して、物品管理装置１０１にて実行される検出処理の一例について説明する。物品管理装置１０１が検索モードに切り替えられた場合（ステップＳ６０１）、ステップＳ６０２で無線タグを励起する電波を発信するので、判定者（ユーザ）は物品管理装置１０１の無線タグディテクタ１０５をバッグ５０１に近づける。
【００３５】
上記登録処理では、最も信号強度の強い無線タグ情報を決定できる場合に無線タグ情報を一意に決定する処理を行った（複数の無線タグ情報をディテクトした場合に、最も信号強度の強い無線タグＩＤ信号の強さが２番目に強い無線タグＩＤ信号の強さに対し事前に定めた差以上、或いは、事前に定めた倍率以上の強さである場合）が、検出処理では、複数の無線タグ情報の検出を可能とする。また、検出処理においては指向性を緩和するなどのデバイス面の工夫を行っても良い。
【００３６】
ステップＳ６０３では無線タグＩＤ検出処理を所定時間行い、無線タグＩＤを検出できなかった場合（ステップＳ６０４）、ステップＳ６０５に移ってＤＢに登録された物品は無いとの画面表示や、音或いは光でユーザに通知する。
【００３７】
無線タグＩＤを検出できた場合（ステップＳ６０４）、ステップＳ６０６に移って先の登録処理でＤＢに記憶した無線タグＩＤ群と比較処理を行う。そして、ステップＳ６０７にて同一の無線タグＩＤが存在していないと判断すれば、ステップＳ６０５に移ってＤＢに登録された物品は無いとの画面表示や、音或いは光でユーザに通知する。
【００３８】
上記ステップＳ６０７にて同一の無線タグＩＤが存在すると判断すれば、ステップＳ６０８に移って同一の無線タグＩＤの個数が単数であるか複数であるかを判断する。
【００３９】
ステップＳ６０８にて複数であれば、ステップＳ６０９にて同一の無線タグＩＤ群に対応する撮影画像を順次読み出して、表示部９の画面を分割して縮小画像表示を行う。この場合に、同一の無線タグＩＤの個数が多い場合には分割数を増やす、或いは、次ページ表示を行う。
【００４０】
本例の場合、カメラ５０２、南京錠５０３、メガネ５０４の３つの無線タグＩＤが検出され、それら３つの無線タグＩＤは全てＤＢに存在するので、図７（ａ）に示すように分割画面に３つの撮影画像（カメラ５０２、南京錠５０３、メガネ５０４の画像）を表示する。ユーザはこれを見ることにより、カバン５０１を開けることなく、カメラ５０２、南京錠５０３、メガネ５０４がバッグ５０１の中にあることを瞬時に知ることが可能となり、忘れ物に気がつくことができる。
【００４１】
なお、画面を分割して縮小画像表示を行う以外にも、適当なインターバルで順次画面表示が切り替わるようにしてもよい。
【００４２】
また、ステップＳ６０８にて単数であれば、ステップＳ６１０にて同一の無線タグＩＤに対応する撮影画像を読み出して、表示部９に画像表示を行う。もし、バッグ５０１にカメラ５０２しか入っていない場合には、図７（ｂ）に示すようにカメラ５０２の撮影画像のみの表示となる。
【００４３】
（第２の実施の形態）
第２の実施の形態では、流通するような物品の無線タグを検出し、その物品の画像を表示或いは真贋判別の特徴となる部位の画像を表示することにより、無線タグの張り替えを検出したり、偽物の可能性を検出したりすることを可能とする物品管理について述べる。
【００４４】
具体例として、バッグのメーカが製品（バッグ）を出荷する際に製品に予め無線タグを装着しておき、無線タグから取得される無線タグＩＤと、バッグを撮影して得られる画像とを対にして登録しておく（登録処理）。そして、店舗側で無線タグＩＤを検出し、対応する画像を表示することにより、流通過程で無線タグが張り替えられていないか、偽物に入れ替わっていないかを確認するというものである（検出処理）。
【００４５】
上記のように第２の実施の形態における物品管理は、登録処理と検出処理によって成立する。以下、これら登録処理と検出処理について詳述する。
【００４６】
（登録処理）
図８（ａ）には、本実施の形態の物品管理装置８０１を含むシステム全体の構成を示す。８０２は撮影装置である。撮影装置８０２はバッグのメーカ側に存在し、インターネットなどのネットワーク８０７を介して店舗側にある物品管理装置８０１に接続する。また、８０３は物品（図示例はバッグ）、８０４は物品８０３に装着された所定の情報を記憶するとともに所定の情報を無線情報として送信する情報送信手段である無線タグである。
【００４７】
撮影装置８０２において、８０５は物品８０３を撮影するための撮影光学系としてのレンズ、８０６は無線タグ情報（無線タグＩＤ）を取得するための情報取得手段（無線タグ検出装置）である無線タグディテクタである。本実施の形態では、撮影ユニット及び情報取得手段を別々に有するものを説明したが、撮影ユニット及び情報取得手段を一体化しても良い。
【００４８】
ここで、無線タグ情報とは、例を挙げれば物や場所などの特定が可能な一意なＩＤ情報である。近年、無線タグの具体例として、ミューチップと呼ばれる極小のシリコンチップで個体固有の番号情報などを記憶し、外部から電波を与えその誘導起電力により電力を得て個体固有の番号情報などを無線で受信可能とするデバイスが発表されている。ただし、この種の機能を実現可能な無線タグであれば特に限定されるものではない。バッグのメーカは、ある製品に対して一意の無線タグＩＤを持つ無線タグを大量に入手できるとする。
【００４９】
無線タグ情報登録撮影モードを可能とする場合には、撮影前に予め物品８０３に無線タグ８０４を装着しておく。その装着方法としては、電波の発信を阻害しない位置に埋め込む、シールで貼着する、塗料に混ぜて塗布するなど様々な方法が存在する。他にも、物品８０３内部に無線タグ８０４が内蔵されていたり、物品８０３の一部に無線タグ８０４が添付或いは付加されていたりするもの、或いは物品８０３の上に載置されているものなどを含むが、本発明はこれらの装着方法に特に限定されるものではない。
【００５０】
物品８０３の撮影と無線タグ情報の取得の両方を一連の動作で行うのに適するように、撮影とタグ情報受信のために撮影装置８０３の姿勢を変えないで済むよう、物品８０３にレンズ８０５を向けた姿勢で、無線タグ８０４からの電波を十分な感度及び又は指向性を保つ位置（本実施形態ではレンズ８０５の近傍の装置の面であって、レンズ８０５と同じ面側の位置）に無線タグディテクタ８０６を配置する。もちろん、撮影装置８０２の背面に無線タグディテクタ８０６が在ったとしても、指向性方向がレンズ８０５の撮影方向と同一或いは凡そ同一で且つ十分な感度が保たれる場合にはこれでも良い。
【００５１】
また、図８（ｂ）に示すように、複数の無線タグ８０４、８０８、８０９が存在する場合、ターゲット外の無線タグからの同時受信を避けるために、無線タグディテクタ８０６の検出部は所定角度の指向性を有し且つレンズ８０５の撮影方向と指向性方向が同一或いは凡そ同一であることが好ましい。
【００５２】
また、本実施の形態では物品８０３の特徴部分（例えばブランド名の入ったロゴプレートやタグ）を撮影するためにマクロ撮影を行うが、マクロ撮影は２０ｃｍから４０ｃｍ程度の距離で行われることが多く、光学系光軸上でレンズから２０ｃｍから４０ｃｍ程度の距離の位置に無線タグディテクタ２０２の指向性の軸が交差するような配置でも良い。
【００５３】
図８（ｂ）の例では、ターゲットとなる無線タグディテクタ８０６から出ている楕円（図中の点線）の大きさが指向性感度を表すが、無線タグ８０４が光学系光軸上で且つ無線タグの最大指向性方向との交点に存在するケースで、非ターゲットである無線タグ８０８、８０９からの電波に対する感度は小さく、これら無線タグ８０８、８０９からの影響は少なくなっている。
【００５４】
ここで、物品８０３（バッグ）固有の特徴部分のマクロ撮影と無線タグＩＤの取得の両方を一連の動作で行うために、無線タグ８０４の物品８０３への装着位置については、物品８０３（バッグ）固有の特徴部分付近とするのが望ましい。このように特徴部分のマクロ撮影と無線タグＩＤの取得の両方を一連の動作で行うことにより、簡便で、かつ、撮影画像と無線タグＩＤの対応に不整合が生じないようにすることができる。
【００５５】
以下、図９のフローチャートを参照して、撮影装置８０２にて実行される登録処理の一例について説明する。なお、ステップＳ９０１〜Ｓ９１２での処理は、上記第１の実施の形態で説明した図３のフローチャートのステップＳ３０１〜Ｓ３１２での処理と同様なので、ここではその詳細な説明を省略する。
【００５６】
ステップＳ９１０で無線タグ情報と撮影した画像情報を対とするような情報形態として記憶した後、ステップＳ９１１に移って、物品８０３固有の特徴部分の位置、更には着眼点を説明する説明文のユーザ入力を受け付ける。
【００５７】
例えば図１０に示すように、撮影装置８０２は、画像表示部１００１と、説明文表示部１００２と、十字カーソル１００３と、文字入力部１００４とを備えている。ユーザは、十字カーソル１００３を用いて説明文表示部１００２を選択し、文字入力部１００４を操作して、制限文字数内で物品の特徴部分の位置（図示例では「ブランド名の入ったロゴプレート」）、更には着眼点（「ブランド名の文字間隔に注意」）をテキスト入力する。また、文字入力部１００４などを使用するのではなく、音声認識により音声を文字列に変換するような入力であってもよい。
【００５８】
ここで、対として記憶する情報スキーマとしては、例えば図１１に示すようなデータベースＤＢがある。ＤＢレコードは無線タグＩＤ情報、画像へのポインタの他、日付などの自動取得可能なメタデータ、そして上記ユーザ入力された説明文のテキストデータが記憶されている。画像へのポインタは画像格納先のアドレスやファイルとしてのパス情報もあり、更に画像へのポインタではなく画像データ自身を記憶するスキーマでも構わない。
【００５９】
以上述べたように物品の撮影と物品に装着した無線タグ情報の取得の両方を簡便な一連の動作で行い、これら対とされる撮影画像と無線タグ情報に、物品８０３固有の特徴部分の位置、更には着眼点を説明する説明文を対応付けることが可能である。
【００６０】
（検出処理）
図１２には、検出処理を行うときの様子を示す。物品管理装置８０１は上記メーカのバッグを仕入れる店舗側に存在し、インターネットなどのネットワーク８０７を介して上記撮影装置８０２に接続する。物品管理装置８０１において、８１０は無線タグ情報（無線タグＩＤ）を取得するための情報取得手段（無線タグ検出装置）である無線タグディテクタ、８１１は画像などを表示する液晶ディスプレイなどの表示部である。なお、撮影装置８０２、物品管理装置８０１はいずれも無線タグＩＤを取得する機能を共通に有することから、撮影装置８０２、物品管理装置８０１とが同じ機種で、メーカ側及び店舗側それぞれに存在するような状況でもよい。
【００６１】
上記のように撮影装置８０２において登録されたデータベースレコード情報（図１１を参照）は、物品管理装置８０１にネットワーク８０７を介して転送される。転送に際しては、転送経路上でデータベースレコード情報に暗号化を施しておくのが望ましい。
【００６２】
なお、図８、１２では撮影装置８０２がネットワーク８０７に直接接続するよう図示したが、例えば実際の運用上では、撮影装置８０２で取得した無線タグＩＤ、画像データ、アノテーション（注釈）といったデータを図示しないメーカ側のウェブサーバにアップロードして、ウェブサーバ上のデータベースで管理し、店舗側の物品管理装置８０１等を介してアクセスして該データベースからデータを受け取るようにしてもよい。また、ネットワーク８０７を介して転送する例を説明したが、データベースレコード情報を記録する記録媒体をメーカ側から店舗側に渡すような形態であってもよい。
【００６３】
図１３は物品管理装置８０１の構成例を示すブロック図であり、４´は半導体メモリなどの着脱可能な記録媒体５´をつなぐためのインターフェース回路である。８１０は無線タグ検出装置、７´は各種操作のための操作部、８´は装置の制御プログラムを記憶するためのＲＡＭやＥＥＰＲＯＭ、８１１は画像表示や警告表示を行うための表示部、１０´は装置内の各回路を制御するための制御回路であり、ＣＰＵを内蔵している。
【００６４】
以下、図１４のフローチャートを参照して、物品管理装置８０１及びユーザにより実行される検出処理の一例について説明する。物品管理装置８０１が検索モードに切り替えられた場合（ステップＳ１４０１）、ステップＳ１４０２で無線タグを励起する電波を発信するので、判定者（ユーザ）は物品管理装置８０１の無線タグディテクタ８１０をバッグ８０３に近づける。
【００６５】
ステップＳ１４０３では無線タグＩＤ検出処理を所定時間行い、無線タグＩＤを検出できなかった場合（ステップＳ１４０４）、ステップＳ１４１１に移って、手元にあるバッグはＤＢに登録されたものと異なり偽物である可能性がある、或いは、無線タグが張り替えられている可能性がある旨を報告する画面表示や、音或いは光でユーザに通知する。
【００６６】
無線タグＩＤを検出できた場合（ステップＳ１４０４）、ステップＳ１４０６に移って、先の登録処理でＤＢに記憶した無線タグＩＤから検索し、検出された無線タグＩＤと同一の無線タグＩＤに対応するマクロ撮影画像と説明文（物品の特徴部分の位置、更には着眼点を説明する文字）を読み出して、表示部８１１に表示する。例えば、表示部８１１に、図１０に示したような画像（ブランド名の入ったロゴプレートのマクロ撮影画像）と、説明文（「ロゴプレート、ブランド名の文字間隔に注意」）が表示される。
【００６７】
ステップＳ１４０７にて、ユーザは、説明文を参照しつつ、実際にあるバッグのロゴプレートと、画像表示されているバッグの特徴部分（ロゴプレート）のマクロ撮影画像とを目視により比較し確認する。合致している場合、本物であると判断する（ステップＳ１４０９）。もし合致していなければ、手元にあるバッグはＤＢに登録されたものと異なり偽物である可能性がある、或いは、無線タグが張り替えられている可能性があると判断する（ステップＳ１４０８）。
【００６８】
なお、第２の実施の形態では、登録処理時に撮影物固有の特徴部分の位置と着眼点を言葉で表現した説明文を付与し、判定処理時に撮影物固有の特徴点の位置と着眼点を言葉で表現した説明文を考慮して判定を行ったが、これらの処理を省略する実施も可能である。また、登録処理時に撮影物固有の特徴点の位置と着眼点を言葉で表現した説明文を付与しないことを許可する処理でも良く、登録処理時に撮影物固有の特徴点の位置と着眼点を言葉で表現した説明文が無い場合には、判定者が被験物全体或いは着目すべき位置が限定されているかを自分で判断して目視して判定することになる。例えば、無線タグの張り替えなどのミスを検知したい場合には被験物全体の画像が写っていれば良く、特徴点の様なミクロな情報は不要である。
【００６９】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００７０】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネットなどのＷＡＮ、無線通信ネットワークなど）システムにおける通信媒体（光ファイバなどの有線回線や無線回線など）を用いることができる。
【００７１】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭなどを用いることができる。
【００７２】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフトなどと共同して上述の実施の形態の機能が実現される場合にもかかるプログラムコードは本発明の実施の形態に含まれることはいうまでもない。
【００７３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵなどが実際の処理の一部又は全部を行い、その処理によって上述した実施の形態の機能が実現される場合にも本発明に含まれることはいうまでもない。
【００７４】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００７５】
例えば、上記各実施の形態では、無線タグＩＤに関して、電波による誘導起電力で動作電源を確保するタイプの例を挙げたが、無線タグ自身が内蔵電源を持ち、無線タグ情報を発信するものも存在する。この場合、無線タグに触れるなどにより、無線タグに無線タグ情報を発信させる。このような無線タグを用いる場合は、図３のステップＳ３０４や図９のステップＳ９０４での処理の代わりに、無線タグの電源をオンにする処理を追加する。
【００７６】
以下、本発明の実施態様の例を列挙する。
（実施態様１）  物品に装着された、所定の情報を無線情報として送信可能な無線情報送信手段から取得された無線情報、及び上記物品を撮影して得られた画像情報を対にして記憶する記憶手段を用いた物品管理装置であって、
物品に装着された無線情報送信手段から無線情報を取得する情報取得手段と、上記情報取得手段により取得される無線情報と、上記記憶手段に記憶されている無線情報とを比較する比較手段と、
上記比較手段で一致した無線情報がある場合、上記記憶手段からその無線情報と対にされている画像情報を読み出して画像を表示する表示手段とを備えたことを特徴とする物品管理装置。
【００７７】
（実施態様２）  上記情報取得手段は、複数の無線情報送信手段から無線情報を取得可能であることを特徴とする実施態様１に記載の物品管理装置。
【００７８】
（実施態様３）  上記表示手段は、上記比較手段で一致した無線情報が複数ある場合、各無線情報と対にされている画像情報による画像を分割表示することを特徴とする実施態様１又は２に記載の物品管理装置。
【００７９】
（実施態様４）  上記表示手段は、上記比較手段で一致した無線情報が複数ある場合、各無線情報と対にされている画像情報による画像を順次表示することを特徴とする実施態様１又は２に記載の物品管理装置。
【００８０】
（実施態様５）  上記比較手段で一致した無線情報がない場合に通知を行う通知手段を備えたことを特徴とする実施態様１〜４のいずれか１項に記載の物品管理装置。
【００８１】
（実施態様６）  物品を撮影する際に、その物品に装着された無線情報送信手段から無線情報を取得して、その無線情報と撮影した画像情報とを対にして記憶する撮影装置が一体化されていることを特徴とする実施態様１〜５のいずれか１項に記載の物品管理装置。
【００８２】
（実施態様７）  物品を撮影する際に、その物品に装着された無線情報送信手段から無線情報を取得するとき、一定条件の下で唯一の無線情報送信手段からの無線情報のみを取得することを特徴とする実施態様６に記載の物品管理装置。
【００８３】
（実施態様８）  携帯可能な機器により構成されることを特徴とする実施態様１〜７のいずれか１項に記載の物品管理装置。
【００８４】
（実施態様９）  上記記憶手段には、上記対にされた無線情報及び画像情報それぞれに説明文が付加されており、
上記表示手段は、画像とともに、その画像に付加された説明文を表示することを特徴とする実施態様１に記載の物品管理装置。
【００８５】
（実施態様１０）  上記物品を撮影して得られた画像は該物品の一部を撮影したマクロ撮影によるものであり、
上記説明文として撮影部位に関する説明が記載されていることを特徴とする実施態様９に記載の物品管理装置。
【００８６】
（実施態様１１）  物品に装着された、所定の情報を無線情報として送信可能な無線情報送信手段から取得された無線情報、及び上記物品を撮影して得られた画像情報を対にして記憶する記憶手段と、物品に装着された無線情報送信手段から無線情報を取得する情報取得手段と、上記情報取得手段により取得される無線情報と、上記記憶手段に記憶されている無線情報とを比較する比較手段と、上記比較手段で一致した無線情報がある場合、上記記憶手段からその無線情報と対にされている画像情報を読み出して画像を表示する表示手段とを用いて、上記表示手段に表示された画像に基づいて物品を管理することを特徴とする物品管理方法。
【００８７】
（実施態様１２）  上記情報取得手段を用いて、中身の見えない入れ物に入った物品に装着された無線情報送信手段から無線情報を取得することを特徴とする請求項１１に記載の物品管理方法。
【００８８】
（実施態様１３）  上記表示手段には、上記比較手段で一致した無線情報が複数ある場合、各無線情報と対にされている画像情報による画像を分割表示させることを特徴とする実施態様１１又は１２に記載の物品管理方法。
【００８９】
（実施態様１４）  上記表示手段には、上記比較手段で一致した無線情報が複数ある場合、各無線情報と対にされている画像情報による画像を順次表示させることを特徴とする実施態様１１又は１２に記載の物品管理方法。
【００９０】
（実施態様１５）  上記比較手段で一致した無線情報がない場合に通知を行う通知手段を用いることを特徴とする実施態様１１〜１４のいずれか１項に記載の物品管理方法。
【００９１】
（実施態様１６）  上記記憶手段に対にして記憶された無線情報及び画像情報は、物品を撮影する際に、その物品に装着された無線情報送信手段から無線情報を取得して、その無線情報と撮影した画像情報とを対にして記憶する撮影装置を用いて取得したものであることを特徴とする実施態様１１〜１５のいずれか１項に記載の物品管理方法。
【００９２】
（実施態様１７）  物品を撮影する際に、その物品に装着された無線情報送信手段から無線情報を取得するとき、一定条件の下で唯一の無線情報送信手段からの無線情報のみを取得することを特徴とする実施態様１６に記載の物品管理方法。
【００９３】
（実施態様１８）  上記すべての手段を備えた携帯可能な機器を用いることを特徴とする実施態様１１〜１７のいずれか１項に記載の物品管理方法。
【００９４】
（実施態様１９）  物品に装着された、所定の情報を無線情報として送信可能な無線情報送信手段から取得された無線情報、及び上記物品を撮影して得られた画像情報を対にして記憶する記憶手段を用いた物品管理をコンピュータに実行させるためのコンピュータプログラムであって、
物品に装着された無線情報送信手段から無線情報を取得する処理と、
上記情報取得処理により取得される無線情報と、上記記憶手段に記憶されている無線情報とを比較する処理と、
上記比較処理で一致した無線情報がある場合、上記記憶手段からその無線情報と対にされている画像情報を読み出して画像を表示する処理とを実行させることを特徴とするコンピュータプログラム。
【００９５】
（実施態様２０）  実施態様１９に記載のコンピュータプログラムを格納したことを特徴とするコンピュータ読み取り可能な記憶媒体。
【００９６】
【発明の効果】
以上述べたように本発明によれば、物品に装着された無線タグなどの無線情報送信手段から取得されたタグＩＤなどの無線情報、及び物品を撮影して得られた画像情報を対にして記憶した記憶手段を用い、ある物品に装着された無線タグから無線情報を取得して、上記記憶手段に記憶されている無線情報とを比較し、一致した無線情報がある場合に画像を表示することにより、無線情報と画像情報を有効に利用した物品管理が可能となる。
【図面の簡単な説明】
【図１】第１の実施の形態の物品管理装置１０１を含むシステム全体の構成を示す図である。
【図２】物品管理装置１０１の構成例を示すブロック図である。
【図３】第１の実施の形態での登録処理の一例について説明するためのフローチャートである。
【図４】情報スキーマの一例を示す図である。
【図５】検出処理を行うときの様子を示す図である。
【図６】第１の実施の形態での検出処理の一例について説明するためのフローチャートである。
【図７】表示例を示す図である。
【図８】第２の実施の形態の物品管理装置８０１を含むシステム全体の構成を示す図である。
【図９】第２の実施の形態での登録処理の一例について説明するためのフローチャートである。
【図１０】撮影装置８０２の外観図である。
【図１１】情報スキーマの一例を示す図である。
【図１２】検出処理を行うときの様子を示す図である。
【図１３】物品管理装置８０１の構成例を示すブロック図である。
【図１４】第２の実施の形態での検出処理の一例について説明するためのフローチャートである。
【符号の説明】
１０１、８０１          物品管理装置
１０２、８０３          物品
１０３、８０４          無線タグ
１０４、８０５          レンズ
１０５、８０６、８１０  無線タグディテクタ
８０２                  撮影装置
８０７                  ネットワーク
９、８１１              表示部
【図１】
2004277095.tif 000003
【図２】
2004277095.tif 000004
【図３】
2004277095.tif 000005
【図４】
2004277095.tif 000006
【図５】
2004277095.tif 000007
【図６】
2004277095.tif 000008
【図７】
2004277095.tif 000009
【図８】
2004277095.tif 000010
【図９】
2004277095.tif 000011
【図１０】
2004277095.tif 000012
【図１１】
2004277095.tif 000013
【図１２】
2004277095.tif 000014
【図１３】
2004277095.tif 000015
【図１４】
2004277095.tif 000016